(57)【要約】【課題】本発明は、バック発光体板が省略されたキーボードアセンブリを提供することを目的とする。【解決手段】本発明に係るキーボードアセンブリは、キーボードユニットと、キーボードユニットに固定される固定板と、固定板に固定されるカバーと、を備える。キーボードユニットは基板及び基板に設置された複数のキーを備える。固定板にはキーを収容する複数の収容孔が設けられ、カバーは、光線を透過する透光板及び透光板の上面にコーティングされ且つ光線を遮断する遮断層を備え、透光板には、収容孔と対向し且つキーをそれぞれ収容する複数の貫通孔が設けられ、各貫通孔は光を透過する内壁を備え、光線は透光板に射出され、遮断層に遮断されて透光板の上面には射出されず且つ内壁へ反射された後、内壁を透過してキーを照らす。【選択図】図１
2014154145.tif 000002
【特許請求の範囲】
【請求項１】
キーボードユニットと、
前記キーボードユニットに固定される固定板と、
前記固定板に固定されるカバーと、
を備えてなるキーボードアセンブリであって、
前記キーボードユニットは、基板及び前記基板に設置された複数のキーを備え、前記固定板には、前記キーを収容する複数の収容孔が設けられ、前記カバーは、光線を透過する透光板及び前記透光板の上面にコーティングされ且つ前記光線を遮断する遮断層を備え、前記透光板には、前記収容孔と対向し且つ前記キーをそれぞれ収容する複数の貫通孔が設けられ、前記各貫通孔は光を透過する内壁を備え、前記光線は前記透光板に射出され、前記遮断層に遮断されて前記透光板の上面には射出されず且つ前記内壁へ反射された後、前記内壁を透過して前記キーを照らすことを特徴とするキーボードアセンブリ。
【請求項２】
前記固定板には、タッチパネルが設置され、前記カバーには前記タッチパネルを収容する収容溝が設けられていることを特徴とする請求項１に記載のキーボードアセンブリ。
【請求項３】
前記固定板には発光体を収容できる複数の開口が設けられていることを特徴とする請求項２又は３に記載のキーボードアセンブリ。
【請求項４】
前記透光板はガラス製であることを特徴とする請求項請求項１から３の何れか一項に記載のキーボードアセンブリ。
【発明の詳細な説明】
【技術分野】
【０００１】
本発明は、キーボードアセンブリに関するものである。
【背景技術】
【０００２】
従来の技術において、ノートパソコンなどの電子装置のキーボードには、キーを照らすために、バック発光体ボードが設置されている。しかし、このバック発光体ボードは電子装置のベースを厚くするので、電子装置を軽薄化できない。
【発明の概要】
【発明が解決しようとする課題】
【０００３】
本発明の目的は、前記問題を解決し、バック発光体ボードが省略されたキーボードアセンブリを提供することである。
【課題を解決するための手段】
【０００４】
上記目的を達成するために、本発明に係るキーボードアセンブリは、キーボードユニットと、キーボードユニットに固定される固定板と、固定板に固定されるカバーと、を備える。キーボードユニットは基板及び前記基板に設置された複数のキーを備え、前記固定板には、キーを収容する複数の収容孔が設けられ、前記カバーは、光線を透過する透光板及び該透光板の上面にコーティングされ且つ光線を遮断する遮断層を備え、前記透光板には、収容孔と対向し且つキーをそれぞれ収容する複数の貫通孔が設けられ、各貫通孔は光を透過する内壁を備え、前記光線は前記透光板に射出され、前記遮断層に遮断されて前記透光板の上面には射出されず且つ前記内壁へ反射された後、前記内壁を透過してキーを照らす。
【発明の効果】
【０００５】
本発明に係るキーボードアセンブリは、従来のバック発光体ボードに替わり、回路基板上に設置された発光体の光線をキーへガイドできるカバーを用いるので、電子装置を軽薄化できる。
【図面の簡単な説明】
【０００６】
【図１】本発明の実施形態に係るキーボードアセンブリの斜視分解図である。
【図２】図１に示すキーボードアセンブリの他の視角から見た図である。
【図３】図１に示すキーボードアセンブリのＩＩＩ部分の拡大図である。
【図４】図１に示すキーボードアセンブリの組立斜視図である。
【図５】図４に示すキーボードアセンブリＩＶ部分の拡大図である。
【図６】図４に示すキーボードアセンブリの他の視角から見た図である。
【発明を実施するための形態】
【０００７】
図１〜図３に示したように、本発明の実施形態に係るキーボードアセンブリは、キーボードユニット１０と、固定板３０と、カバー５０と、を備える。
【０００８】
キーボードユニット１０は、基板１１及び基板１１上に設置された複数のキー１３を備える。また、基板１１には複数の通孔１１１が設けられている。
【０００９】
固定板３０には、キー１３を収容する複数の収容孔３１及び複数の開口３５が設けられている。開口３１の間には、隔離部３１１が形成され、隔離部３１１には、通孔１１１に対応する複数の固定孔３１３が設けられている。固定板３０には、タッチパネル３３が設置されている。開口３５は、カバー５０を照らす発光体（図示せず）を通過させるように設けられる。
【００１０】
カバー５０の形状は固定板３０の形状とほぼ同じであり、光線を透過する透光板５１及び透光板５１の上面にコーティングされた遮断層５３を備える。本実施形態において、透光板５１はガラス製である。
【００１１】
透光板５１には、収容孔３１に対応した複数の貫通孔５１１及びタッチパネル３３に対応した収容溝５１３が設けられている。貫通孔５１１は、内壁５１１１を有する。本実施形態において、前記発光体は回路基板に設置された発光ダイオードであり、発光ダイオードは開口３５を通過した後、カバー５０の透光板５１に到達する光線を射出する。光線は、遮断層５３に遮断されて透光板５１の上面には射出されず、内壁５１１１から射出されて、貫通孔５１１内に収容されるキー１３を照らす。
【００１２】
図４〜図６に示したように、キーボードアセンブリを組み立てる際、キー３４を収容孔３１にそれぞれ挿通させるように、キーボードユニット１０を固定板３０に装着させる。この時、通孔１１１は、固定孔３１３とそれぞれ対向する。複数の固定部品７０は、通孔１１１をそれぞれ挿通した後、対応する固定孔３１３に係合され、キーボードユニット１０を固定板３０上に固定する。次いで、貫通孔５１１を収容孔３１と対向させるように、カバー５０を固定板３０に粘着する。これによって、キー１３は貫通孔５１１にもそれぞれ収容される。
【００１３】
キーボードアセンブリは、複数の発光体を備える回路基板に装着され、発光体の光線は、透光板５１へ射出された後、遮断層５２に遮断され且つ内壁５１１１へ反射されて、それから内壁５１１１を透過した後、キー１３へ射出される。これにより、キー１３を照らすことができる。
【００１４】
薄い板体であるカバー５０は、従来のバック発光体ボードに替わって、キー１３を照らすので、ノートパソコンを薄型化できる。
【符号の説明】
【００１５】
１０  キーボードユニット
１１  基板
１１１  通孔
１３  キー
３０  固定板
３１  収容孔
３１１  隔離部
３１３  固定孔
３３  タッチパネル
３５  開口
５０  カバー
５１  透光板
５３  遮断層
５１１  貫通孔
５１１１  内壁
５１３  収容溝
７０  固定部品
【図１】
2014154145.tif 000003
【図２】
2014154145.tif 000004
【図３】
2014154145.tif 000005
【図４】
2014154145.tif 000006
【図５】
2014154145.tif 000007
【図６】
2014154145.tif 000008